(57)【要約】【課題】浮遊粉塵を空気と一緒に集める駆動源と、粉塵含有空気を搬送し、粉塵の捕捉及び浄化空気の排出処理を実施する駆動源とを分離し、粉塵の捕捉及び浄化空気の排出処理を良好に行えて、構造が簡単で空気流路の長さ調節を行ない易い装置にする。【解決手段】浮遊粉塵を空気と一緒に吸引し圧送する集塵機２と、集塵機２から搬送管７を経て粉塵含有空気を取り込む集塵室３と、集塵室３から搬送管８を経て粉塵含有空気を取り込み、搬送管９を経て送り出すシリンダー４と、搬送管９を経て送り込まれる粉塵含有空気を取り込む粉塵送出室５と、粉塵送出室５から搬送管を経て送り込まれる粉塵含有空気を取り込む粉塵除去器とを備え、粉塵除去器に粉塵含有空気を取り込む上開口を有し、最上筒部内にスプリンクラーを設置し、スプリンクラーより下部側筒部内に粉塵捕捉用部材を充填した捕捉筒を立設して備え付ける。【選択図】  図１
2010214281.tif 000002
【特許請求の範囲】
【請求項１】
浮遊粉塵を空気と一緒に吸引し、吸い込んだ粉塵含有空気を加圧して送り出す集塵機と、その集塵機に連結し粉塵含有空気を搬送する逆止弁付き第１搬送管と、その第１搬送管と連結して粉塵含有空気を室内に取り込む第１取入口と外気を室内に取り込む逆止弁付き外気取入管を連結した外気取入口と室内の粉塵含有空気をほぼ２等分して送り出す複数の第１送出口とを有する集塵室と、その各第１送出口と夫々連結して粉塵含有空気を搬送し、各管内断面積の和を第１搬送管内断面積の２倍以上の大きさにした複数の逆止弁付き第２搬送管と、その各第２搬送管と夫々連結して粉塵含有空気を室内に取り込む複数の第２取入口と室内の粉塵含有空気をほぼ２等分して送り出す複数の第２送出口とその第２取入口、第２送出口を対応させて同等の２グループに分け、その所定距離離した両グループの間を往復動するピストンとを有し、粉塵含有空気を連続的に取り込み、送り出すシリンダーと、その各第２送出口と夫々連結して粉塵含有空気を搬送し、各管内断面積の和を各第２搬送管内断面積の和以上の大きさにした複数の逆止弁付き第３搬送管と、その各第３搬送管と夫々連結して粉塵含有空気を室内に取り込む複数の第３取入口と室内の粉塵含有空気を送り出す第３送出口とを有する粉塵送出室と、その第３送出口と連結して粉塵含有空気を搬送し、管内断面積を各第３搬送管内断面積の和以上に大きくした第４搬送管と、その第４搬送管と連結して粉塵含有空気を取り込む上開口を有し、最上筒部内にスプリンクラーを設置し、そのスプリンクラーより下部側筒部内に粉塵捕捉用部材を充填した捕捉筒を立設した粉塵捕捉器とを備えることを特徴とする浮遊粉塵除去装置。
【請求項２】
上開口を有し、最上筒部内にスプリンクラーを設置し、そのスプリンクラーより下部側筒部内に粉塵捕捉用部材を充填した捕捉筒を２本用い、その各捕捉筒の下端部を水を貯留した貯留底筒の両端部に夫々結合し、全筒内部を連通させて、両捕捉筒を貯留底筒の両端部に１本ずつ立設し、その貯留底筒内の水をポンプアップして各スプリンクラーに夫々供給し、一方の捕捉筒の上開口から筒内に粉塵含有空気を送り込み、他方の捕捉筒の上開口から外部に浄化空気を放出することを特徴とする粉塵除去器。
【発明の詳細な説明】
【技術分野】
【０００１】
本発明は、地下の工事現場や工場内等に浮遊する粉塵を湿式により除去して空気を清浄化する浮遊粉塵除去装置並びに粉塵除去器に関する。
【背景技術】
【０００２】
従来、空中に浮遊する粉塵を除去するため、乾式、湿式による種々の粉塵除去装置が使用されている。そして、乾式の粉塵除去装置を使用すると、空中に浮遊する粉塵を乾燥状態のまま捕捉して除去できる。しかし、フィルターにより微粒子を捕捉し難く、フィルターの掃除時に再度粉塵が舞い上がったりするため、肺機能に障害を及ぼす等により健康被害の恐れがある。その点、湿式では粉塵含有空気を水と接触させ、粉塵を湿らせて補足するので、微粒子まで効率よく捕捉できる。
【０００３】
このような湿式による粉塵除去装置として、地下や山岳のトンネル掘削工事において発生する粉塵を、浮遊粉塵の発生現場に備えた一台の送風機により、空気と一緒に吸い込み、その粉塵含有空気を長い風管を通して搬送し、更に散水部を経て貯留槽にて水と混合して、粉塵を捕捉すると共に、浄化空気を大気中に放出するものが提示されている。又、工場内空間の浮遊粉塵を除去する装置として、工場内天井に設けてある自走のクレーンガーターに油圧シリンダーで支持したリールを取り付け、リールから引き下げる塵取りスクリーンに薬液層から消毒洗浄液を噴霧してクレーンガーターを自走させながら工場空間の浮遊塵埃を塵取りスクリーンに吸着除去するものが提示されている。
【特許文献１】特開２００９−４１２０５
【特許文献２】特開平９−６６２１１
【発明の開示】
【発明が解決しようとする課題】
【０００４】
しかしながら、前者の湿式集塵機では浮遊粉塵の発生現場に備えた１台の送風機により粉塵含有空気を長い風管を通して搬送し、更に粉塵の捕捉と浄化空気の排出処理までを行う必要がある。このため、送風機の能力を当然大きくしなければならない。しかも、風管の先に設置される散水部と貯留槽の構造が複雑である。又、後者の工場内粉塵除去装置は工場内天井にクレーンガーターが設けられていることを前提とするものであり、工場内にクレーンガーターが設けられていなければ簡単に実施できず実施化が困難である。
【０００５】
本発明は、このような従来の問題点に着目してなされたものであり、浮遊粉塵を空気と一緒に集める集塵用の駆動源と、粉塵含有空気を搬送し、粉塵の捕捉及び浄化空気の排出処理を実施する処理用の駆動源とを分離し、粉塵の捕捉及び浄化空気の排出処理を良好に行える、構造が簡単で、空気流路の長さ調節を行ない易い浮遊粉塵除去装置並びに粉塵捕捉器を提供することを目的とする。
【課題を解決するための手段】
【０００６】
上記目的を達成するために、本発明による浮遊粉塵除去装置は、浮遊粉塵を空気と一緒に吸引し、吸い込んだ粉塵含有空気を加圧して送り出す集塵機と、その集塵機に連結し、粉塵含有空気を搬送する逆止弁付き第１搬送管と、その第１搬送管と連結して粉塵含有空気を室内に取り込む第１取入口と外気を室内に取り込む逆止弁付き外気取入管を連結した外気取入口と室内の粉塵含有空気をほぼ２等分して送り出す複数の第１送出口とを有する集塵室と、その各第１送出口と夫々連結して粉塵含有空気を搬送し、各管内断面積の和を第１搬送管内断面積の２倍以上の大きさにした複数の逆止弁付き第２搬送管と、その各第２搬送管と夫々連結して粉塵含有空気を室内に取り込む複数の第２取入口と室内の粉塵含有空気をほぼ２等分して送り出す複数の第２送出口とその第２取入口、第２送出口を対応させて同等の２グループに分け、その所定距離離した両グループの間を往復動するピストンとを有し、粉塵含有空気を連続的に取り込み、送り出すシリンダーと、その各第２送出口と夫々連結して粉塵含有空気を搬送し、各管内断面積の和を各第２搬送管内断面積の和以上の大きさにした複数の逆止弁付き第３搬送管と、その各第３搬送管と夫々連結して粉塵含有空気を室内に取り込む複数の第３取入口と室内の粉塵含有空気を送り出す第３送出口とを有する粉塵送出室と、その第３送出口と連結して粉塵含有空気を搬送し、管内断面積を各第３搬送管内断面積の和以上に大きくした第４搬送管と、その第４搬送管と連結して粉塵含有空気を取り込む上開口を有し、最上筒部内にスプリンクラーを設置し、そのスプリンクラーより下部側筒部内に粉塵捕捉用部材を充填した捕捉筒を立設した粉塵捕捉器とを備える。
【０００７】
又、本発明による粉塵捕捉器は、上開口を有し、最上筒部内にスプリンクラーを設置し、そのスプリンクラーより下部側筒部内に粉塵捕捉用部材を充填した捕捉筒を２本用い、その各捕捉筒の下端部を水を貯留した貯留底筒の両端部に夫々結合し、全筒内部を連通させて、両捕捉筒を貯留底筒の両端部に１本ずつ立設し、その貯留底筒内の水をポンプアップして各スプリンクラーに夫々供給し、一方の捕捉筒の上開口から筒内に粉塵含有空気を送り込み、他方の捕捉筒の上開口から外部に浄化空気を放出する構成にすると好ましくなる。
【発明の効果】
【０００８】
本発明の浮遊粉塵除去装置は、浮遊粉塵を空気と一緒に吸引し、吸い込んだ粉塵含有空気を加圧して送り出す集塵機と、粉塵含有空気を連続的に取り込み、送り出すシリンダーとを装置の集塵用と処理用の２駆動源とする。このため、集塵機は粉塵含有空気を逆止弁付き第１搬送管を通じて集塵室内に送り込むだけでよくなり、駆動力の小さな小型集塵機を使用できる。
【０００９】
そして、集塵室に送り込まれた粉塵含有空気をほぼ２等分して送り出す複数の第１送出口と夫々連結し、各管内断面積の和を第１搬送管内断面積の２倍以上の大きさにした複数の逆止弁付き第２搬送管と、室内の粉塵含有空気をほぼ２等分して送り出す複数の第２送出口と夫々連結し、各管内断面積の和を各第２搬送管内断面積の和以上の大きさにした複数の逆止弁付き第３搬送管とが接続するシリンダーを駆動し、各第２搬送管と夫々連結して粉塵含有空気を室内に取り込む複数の第２取入口と室内の粉塵含有空気をほぼ２等分して送り出す複数の第２送出口を対応させて同等の２グループに分け、その所定距離離した両グループ間にピストンを往復動させる。すると、ピストンの往復動に伴い、両グループで交互に、一方のグループにより集塵室から粉塵含有空気が各第２搬送管を通じて室内に取り込まれ、他方のグループにより既に室内に取り込まれていた粉塵含有空気が第３搬送管を通じて送り出される。
【００１０】
このため、集塵室から粉塵含有空気をシリンダー内に連続的に円滑に取り込み、更にシリンダーから粉塵含有空気を連続的に円滑に送り出すことができる。その際、第１、第２、第３の各搬送管にいずれも逆止弁が設置されているので、集塵機で吸い込んだ粉塵含有空気は一方向に流れ、逆流が発生しない。しかも、集塵室には外気を室内に取り込む逆止弁付き外気取入管が連結した外気取入口が設けられているので、集塵室内の圧力低下に対応して外気を自在に補充できる。
【００１１】
このようなシリンダーを備えると、集塵室から粉塵含有空気を取り込み、その粉塵含有空気を各第３搬送管を経て、その各第３搬送管と夫々連結する複数の第３取入口を通して粉塵送出室に送り込み、その粉塵送出室の第３送出口から、更にその第３送出口と連結し、管内断面積を各第３搬送管内断面積の和以上に大きくした第４搬送管を経て、その第４搬送管と連結して粉塵含有空気を取り込む上開口を有する捕捉筒へと順次送り込める。このため、集塵機と集塵室とシリンダーと粉塵送出室と粉塵除去器とを、順次第１、第２、第３、第４の各搬送管で接続するだけで空気流路を簡単に形成できる。それ故、装置の構造が簡単になる。しかも、第１、第２、第３、第４の各搬送管の長さを適宜選択して空気流路を短く或いは長く自在に調節し易く、現場の状況に合せて装置をコンパクトにし、或いは集塵機と粉塵除去器間の距離を長くできるので好都合である。
【００１２】
そして、粉塵除去器に立設して備え付けた捕捉筒の最上筒部内にスプリンクラーを設置し、そのスプリンクラーより下部側筒部内に粉塵捕捉用部材を充填しておくと、上開口から筒内に送り込まれてくる粉塵含有空気に最上筒部内に設置されているスプリンクラーより散水し、粉塵を湿らせて、その粉塵を下部側筒部内に充填されている粉塵捕捉用部材に付着させて除去すると共に、粉塵を水中に混入させ流下させて下開口を経て取り除き、更にその下開口から浄化空気を放出できる。それ故、粉塵の捕捉及び浄化空気の排出処理を良好に行える。
【００１３】
又、本発明の粉塵除去器は粉塵含有空気が一方の捕捉筒の上開口から筒内に送り込まれると、スプリンクラーからの散水により、粉塵を湿らせ、その粉塵を粉塵捕捉用部材に付着させて除去し、或いは粉塵を水中に混入し、流下させて底筒内部に貯留できる。その際、空気中に含まれている大部分の粉塵及び粒の大きな粉塵は捕捉用部材に付着して除去されるので、底筒内部の貯留水に含まれる粉塵量が少なくなって、貯留水が汚れ難い。このため、貯留水をポンプアップに適した状態に保ち易い。そして、一方の捕捉筒による粉塵除去により粉塵量の減少した粉塵含有空気が貯留底筒の水面に衝突すると、水面の波立ちにより更に粉塵が除去され、水面上を通過して、他方の捕捉筒の下部から上方へ搬送される。すると、他方の捕捉筒も同様の構造を備えているので、スプリンクラーの散水により、粉塵を捕捉用部材に付着させ、或いは水中に混入し、流下させて除去できる。このため、他方の捕捉筒の上開口から放出される空気が一層浄化される。従って、粉塵の捕捉及び浄化空気の排出処理を一層良好に行える。
【発明を実施するための最良の形態】
【００１４】
以下、添付の図１、２を参照して、本発明の実施の最良形態を説明する。
図１は本発明を適用した浮遊粉塵除去装置の集塵機から粉塵送出室までの概略構成を示す説明図である。又、図２は同浮遊粉塵除去装置の粉塵送出室と第４搬送管を介して接続する粉塵除去器の概略構成を示す説明図である。この浮遊粉塵除去装置１は、集塵機２と集塵室３とシリンダー４と粉塵送出室５と粉塵除去器６と、それ等を順次つなぐ第１、第２、第３、第４搬送管７、８、９、１０等から空気流路を構成し、シリンダー４の駆動源として、例えば電動モータ（図示なし）を用いる。なお、１１は電動モータの回動軸である。そして、集塵機２には例えば市販のブロワーを吸引式に切り換えて用いる。すると、地下鉄工事の現場や工場内等に浮遊する粉塵を、集塵機２の本体１２の前側に設置したラッパ状口部付き吸引管１３により、空気と一緒に吸引し、吸い込んだ粉塵含有空気を加圧して、後側に設置した送出管１４により送り出せる。そこで、送出管１４には粉塵含有空気を円滑に搬送するため、例えば内径４ｃｍの第１搬送管７を連結する。
【００１５】
この第１搬送管７は集塵室３と連結し、その集塵室３には、例えば縦１８ｃｍ横３０ｃｍ、幅１３ｃｍの箱を用い、その箱壁の所定箇所に、第１搬送管７と連結して粉塵含有空気を室内に取り込む第１取入口１５、外気を室内に取り込む外気取入口１６、室内の粉塵含有空気をほぼ２等分して送り出す複数例えば２個の第１送出口１７（１７ａ、１７ｂ）を夫々設ける。そして、外気取入口１６に逆止弁１８付きの外気取入管１９を連結する。又、各第１送出口１７に、各管内断面積の和を第１搬送管内断面積の２倍以上の大きさにした逆止弁１８付きの内径が例えば４ｃｍの第２搬送管８（８ａ、８ｂ）を夫々連結する。すると、集塵室３から粉塵含有空気を円滑に取り出して搬送できる。
【００１６】
この第２搬送管８はシリンダー４と連結し、そのシリンダー４には例えば内径１８ｃｍ、長さ１２０ｃｍの円筒或いは角筒等を用いる。そして、その筒壁の所定箇所に、各第２搬送管８と夫々連結して粉塵含有空気を室内に取り込む２個の第２取入口２０(２０ａ、２０ｂ)と室内の粉塵含有空気をほぼ２等分して送り出す複数例えば４個の第２送出口２１（２１ａ、…２１ｄ）とを設け、更にその第２取入口２０と第２送出口２１とを対応させて同等の２グループに分ける。又、その筒内部に、所定距離離した両グループの間を往復動するピストン２２を設置する。その際、一方のグループを第２取入口２０ａと対応する第２送出口２１ａ、２１ｂとにより形成し、他方のグループを第２取入口２０ｂと対応する第２送出口２１ｃ、２１ｄとにより形成する。そして、ピストンロッド２３の自由端と電動モータの回動軸１１との間に、電動モータの回転運動を減速し、更に往復動の直線運動に変換してピストンロッド２３に伝えるため、連設棒２４ａと大小の噛合歯車２４ｂ、２４ｃとの組み合わせからなる減速機構２４を介在する。なお、各第２搬送管８はいずれも出口側の径を入口側の径より絞ると、シリンダー４による粉塵含有空気の吸い込みを良好に行える。
【００１７】
このように、浮遊粉塵除去装置１に粉塵含有空気搬送用の駆動源として、集塵機２とシリンダー４とを備えて、駆動源を２個用いると、集塵機２は粉塵含有空気を逆止弁１８付き第１搬送管７を通じて集塵室３に送り込む集塵用駆動源として働くだけでよくなり、駆動力の小さな小型集塵機を使用できる。そして、シリンダー４の各第２送出口２１に、各管内断面積の和を各第２搬送管内断面積の和以上の大きさにした逆止弁１８付きの内径が例えば４ｃｍの第３搬送管９（９ａ、…９ｄ）を夫々連結する。
【００１８】
すると、ピストン２２の矢印で示す往復動に伴い、両グループで交互に、一方のグループにより集塵室３から粉塵含有空気が各第２搬送管８を通じて室内に取り込まれ、他方のグループにより既に室内に取り込まれていた粉塵含有空気を第３搬送管９を通じて送り出すことができる。このため、集塵室３から粉塵含有空気をシリンダー４内に連続的に円滑に取り込み、更にシリンダー４から粉塵含有空気を連続的に円滑に送り出すことができる。その際、第１、第２、第３の各搬送管７、８、９にいずれも逆止弁１８が設置されているので、集塵機２で吸い込んだ粉塵含有空気は矢印で示す一方向に流れ、逆流が発生しない。しかも、集塵室３には逆止弁１８付きの外気取入管１９が外気取入口１６に連結されているので、集塵室３内の圧力低下に対応して外気を自在に補充できる。
【００１９】
この第３搬送管９は粉塵送出室５と連結するが、その粉塵送出室５として、例えば内径が１０ｃｍ、長さが３０ｃｍの一端閉鎖の円筒を用いる。そこで、その粉塵送出室５に、各第３搬送管９と夫々連結して粉塵含有空気を室内に取り込む４個の第３取入口２５(２５ａ、…２５ｄ)と室内の粉塵含有空気を送り出す第３送出口２６とを設ける。なお、粉塵送出室５を構成する円筒の他端開口を第３送出口２６にする。この第３送出口２６に、粉塵含有空気を搬送し、管内断面積を各第３搬送管内断面積の和以上に大きくした内径が例えば１０ｃｍの第４搬送管１０を連結する。すると、粉塵含有空気を第４搬送管１０を経て、粉塵除去器６に円滑に送り込める。このため、集塵機２と集塵室３とシリンダー４と粉塵送出室５と粉塵除去器６とを、順次第１、第２、第３、第４の各搬送管７、８、９、１０を用いて接続するだけで、簡単に空気流路が完成するので、浮遊粉塵除去装置１の構造が簡単になる。しかも、第１、第２、第３、第４の各搬送管７、８、９、１０の長さを適宜選択して空気流路を短く又は長く自在に調節し易く、現場の状況に合せて装置をコンパクトにし、或いは集塵機２と粉塵除去器６間の距離を長くできるので好都合である。
【００２０】
このような粉塵除去器６には内径が例えば１０ｃｍの捕捉筒２７(２７ａ、２７ｂ)を２本用い、その各捕捉筒２７の下端部を内径が例えば１０ｃｍの貯留底筒２８の両端部に夫々結合し、全筒内部を連通させて、両捕捉筒２７を貯留底筒２８の両端部に１本ずつ立設した大略Ｕ字状のケース２９を用いる。なお、ケース２９の高さを例えば１２０ｃｍにする。そして、各捕捉筒２７の上端を開口３０（３０ａ、３０ｂ）にし、その各最上筒部内に回転式のスプリンクラー３１（３１ａ、３１ｂ）を夫々設置し、そのスプリンクラー３１より下部側筒部内に粉塵捕捉用部材３２（３２ａ、３２ｂ）を夫々充填する。その際、市販のスプリンクラーを用い、粉塵捕捉用部材３２としてやはり市販されている目の細かいプラスチック製網を塊にして用いるとよい。なお、各粉塵捕捉用部材３２の下側を支持部材３３（３３ａ、３３ｂ）で支える。
【００２１】
そして、貯留底筒２８の内部に水３４を貯留する。そして、貯留底筒２８の一端側下部を少し拡張して、その拡張底部３５に水中ポンプ３６を設置し、そのポンプ３６と各スプリンクラー３１とを給水管３７（３７ａ、３７ｂ）で夫々連結する。なお、拡張底部３５の底に水中に混入した粉塵を時々排出するための常閉排出口（図示なし）を設ける。
【００２２】
使用時、浮遊粉塵除去装置１に備えられている集塵機２とシリンダー４の駆動用電動モータと水中ポンプ３６とを同時に始動する。又は、先にシリンダー駆動用電動モータと水中ポンプ３６とを始動しておき、集塵機２の始動を後にする。始動後、浮遊粉塵を集塵機２で取り込むと、粉塵含有空気を順次第１、第２、第３、第４の各搬送管７、８、９、１０により、集塵室３、シリンダー４、粉塵送出室５を経て矢印方向に搬送して行き、粉塵除去器６を構成する一方の捕捉筒２７ｂの上開口３０ｂから筒内に送り込むことができる。すると、粉塵含有空気が捕捉筒２７ｂの内壁とスプリンクラー３１ｂとの３方にある隙間を通過するので、ポンプアップによるスプリンクラー３１ｂからの散水により、粉塵含有空気に水を噴射して粉塵を湿らせ、その粉塵を粉塵捕捉用部材３２ｂに付着させて除去し、或いは水中に混入させて流下させ、底筒２８の内部に水３４と一緒に貯留できる。
【００２３】
その際、空気中に含まれている大部分の粉塵又は粒の大きな粉塵は捕捉用部材３２ｂを通過する際に付着して除去されるので、底筒内部の貯留水３４に含まれる粉塵量が少なくなって、貯留水３４が汚れ難い。このため、貯留水をポンプアップに適した状態に保ち易い。そして、一方の捕捉筒２７ｂによる粉塵除去により粉塵量の減少した粉塵含有空気が貯留底筒２８の水面に衝突すると、水面の波立ちにより更に粉塵が除去され、水面上を矢印方向に通過して、他方の捕捉筒２７ａの下部から上方へ搬送される。すると、他方の捕捉筒２７ａも同様の構造を備えているので、スプリンクラー３１ａの散水により、粉塵を捕捉用部材２７ａに付着させ、或いは水中に混入させ流下させて除去できる。このため、粉塵除去器６内の空気流路が長くなり、他方の捕捉筒２７ａの上開口３０ａから放出される空気が一層浄化される。従って、シリンダー４が粉塵含有空気を搬送し、粉塵の捕捉及び浄化空気の排出処理を実行する処理用の駆動源として働き、粉塵の捕捉及び浄化空気の排出処理を一層良好に行える。なお、各捕捉筒２７内の捕捉用部材３２に多量に粉塵が付着し、貯留底筒２８の水中に多量に粉塵が溜まったら、粉塵除去器６を分解する等して適宜粉塵を取り除く。
【００２４】
上記実施の形態では、２本の捕捉筒２７と貯留底筒２８とをＵ字状に結合した粉塵除去器６について説明したが、同様の捕捉筒を１本用い、その捕捉筒を水を貯留する断面Ｕ字状の貯留受け内に、下部側を嵌めて立設する等して、粉塵除去器を構成することもできる。
【図面の簡単な説明】
【００２５】
【図１】本発明を適用した浮遊粉塵除去装置の集塵機から粉塵送出室までの概略構成を示す説明図である。
【図２】同浮遊粉塵除去装置の粉塵送出室と第４搬送管を介して接続する粉塵除去器の概略構成を示す説明図である。
【符号の説明】
【００２６】
１…浮遊粉塵除去装置  ２…集塵機  ３…集塵室  ４…シリンダー  ５…粉塵送出室  ６…粉塵除去器  ７、８、９、１０…第１、第２、第３、第４搬送管    １１…電動モータの回動軸  １２…本体  １３…吸引管  １４…送出管  １５、２０、２５…第１、第２、第３取入口  １６…外気取入口  １７、２１、２６…第１、第２、第３送出口  １８…逆止弁  １９…外気取入管  ２２…ピストン  ２３…ピストンロッド  ２４…減速機構  ２７…捕捉筒  ２８…貯留底筒  ２９…ケース  ３０…上開口  ３１…スプリンクラー  ３２…粉塵捕捉用部材  ３４…水  ３６…水中ポンプ  ３７…給水管
【図１】
2010214281.tif 000003
【図２】
2010214281.tif 000004